(57)【要約】【課題】小形化を図るとともに、放熱効果を高めることができる光学ピックアップ装置を提供する。【解決手段】放熱板１１は、光源１３からの熱が伝熱自在に設けられ、かつ記録媒体に臨む少なくとも一表面部に凹凸状に形成される放熱部２８を有するので、記録媒体に対して前記一表面部の表面積を大きくすることができるうえ、特に光源１３からの熱を、回転する記録媒体と凹凸状に形成される放熱部２８とで協働して装置１０外部に放出することができる。したがって光学ピックアップ装置１０に熱が滞留することを防止することができる。つまり、光学ピックアップ装置１０に熱応力が作用することを極力防止することができるので、光学ピックアップ装置１０としての動作を安定化することが可能となる。【選択図】      図１
2004152408.tif 000002
【特許請求の範囲】
【請求項１】
記録媒体に対する情報の記録または再生または消去を実行可能な光学ピックアップ装置において、
回転される記録媒体に照射するための光を発する光源と、
記録媒体に臨む少なくとも一表面部に凹凸状に形成される放熱部を有するハウジングと、
を有することを特徴とする光学ピックアップ装置。
【請求項２】
記録媒体に対する情報の記録または再生または消去を実行可能な光学ピックアップ装置において、
回転される記録媒体に照射するための光を発する光源と、
光源が支持されるハウジングと、
光源からの熱が伝熱自在に設けられ、少なくとも記録媒体に臨む一表面部に凹凸状に形成される放熱部を有する放熱板と、
を有することを特徴とする光学ピックアップ装置。
【請求項３】
回転される記録媒体に照射するための光を発する光源と、
光源と記録媒体との間の光軸上に配置される光学部品と、
光源および光学部品が支持されるハウジングと、
ハウジングに支持され、かつ光学部品の位置が駆動制御されるアクチュエータと、
アクチュエータを覆うカバー部材であって、光源からの熱が伝熱自在に設けられ、少なくとも記録媒体に臨む一表面部に凹凸状に形成される放熱部を有するカバー部材と、
を有することを特徴とする光学ピックアップ装置。
【請求項４】
放熱部は、記録媒体の回転によって生じる雰囲気ガスの流れの方向に沿って延びる凹溝が形成されることを特徴とする請求項１〜３のいずれかに記載の光学ピックアップ装置。
【請求項５】
放熱部は、ハウジングに一体に成形されることを特徴とする請求項１に記載の光学ピックアップ装置。
【請求項６】
ハウジングは、光源を駆動制御するための集積回路に伝熱自在に設けられることを特徴とする請求項５に記載の光学ピックアップ装置。
【請求項７】
放熱部は、集積回路および光源を覆うように形成されることを特徴とする請求項６に記載の光学ピックアップ装置。
【請求項８】
放熱部のうちの少なくとも一部分は、不均一な凹凸状に形成されることを特徴とする請求項１〜３のいずれかに記載の光学ピックアップ装置。
【請求項９】
放熱部は、熱伝導率の高い材料から成ることをことを特徴とする請求項１〜３のいずれかに記載の光学ピックアップ装置。
【請求項１０】
カバー部材は、ハウジングに一体に成形されることを特徴とする請求項３に記載の光学ピックアップ装置。
【請求項１１】
前記放熱板は、少なくとも光源に電気的に接続されるフレキシブル基板がハウジングから離反する方向へ変位することを阻止するように構成されることを特徴とする請求項２に記載の光学ピックアップ装置。
【請求項１２】
前記カバー部材は、少なくとも光源に電気的に接続されるフレキシブル基板がハウジングから離反する方向へ変位することを阻止するように構成されることを特徴とする請求項３に記載の光学ピックアップ装置。
【請求項１３】
放熱部の凹凸状は、突起状または三角波形状に形成されることを特徴とする請求項１〜３のいずれかに記載の光学ピックアップ装置。
【発明の詳細な説明】
【０００１】
【発明の属する技術分野】
本発明は、たとえばコンパクトディスクおよびデジタルバーサタイルディスクなどの光学記録媒体に対する情報の記録、再生、消去を行う光学ピックアップ装置に関する。
【０００２】
【従来の技術】
図１９は、従来の光学ピックアップ装置１を、対物レンズ２の光軸方向に見て概略的に示す平面図である。図２０は、従来の光学ピックアップ装置１を、受発光一体形素子３の光軸方向および対物レンズ２の光軸方向を含む仮想平面で切断して見た断面図である。図２１は、従来の光学ピックアップ装置１を、受発光一体形素子３の光軸方向一方に見て示す端面図である。光学ピックアップ装置１においては、コンパクトディスク（略称ＣＤ：Ｃｏｍｐａｃｔ  Ｄｉｓｋ）およびデジタルバーサタイルディスク（略称ＤＶＤ：Ｄｉｇｉｔａｌ  Ｖｅｒｓａｔｉｌｅ  Ｄｉｓｋ）の少なくともいずれか一方の記録、再生、消去に、受発光一体形素子３，４が用いられている。さらにこの光学ピックアップ装置１には、光分離用光学素子５と、コリメートレンズ６と、立上げミラー７と、対物レンズ２とが設けられている。
【０００３】
受発光一体形素子３，４から出射された放射光は、光分離用光学素子５を反射または透過し、コリメートレンズ６にて平行光となる。その後、平行光は立上げミラー７によって対物レンズ２が配置される方向に反射される。反射された平行光は、対物レンズ２を通過することで収束光となり、記録媒体であるＣＤまたはＤＶＤにおける一点で収束し反射される。反射光は、対物レンズ２を再び通過して戻る際に平行光となり、この平行光は立上げミラー７で反射され、コリメートレンズ６を通過する。このコリメートレンズ６を通過した平行光は、光分離用光学素子５で反射または透過して往路と逆の順路で受発光一体形素子３，４に戻る。戻り光は、受発光一体形素子３，４に設けられる回折格子で分光されて受光部に至り、光信号から電気信号へと変換され、情報の再生、記録、消去が実行されるか、またはサーボ信号として利用される。
【０００４】
光源となる半導体レーザを収納したフレームにおいて、前記半導体レーザの収納部分近傍の外面部に、放熱用凹凸部が設けられる光学ピックアップ装置（たとえば、特許文献１参照）も開示されている。
【０００５】
【特許文献１】
特開平１０−１１７８０号公報（第１１頁、第１図）
【０００６】
【発明が解決しようとする課題】
従来の光学ピックアップ装置は、たとえばノート形パソコン内蔵に対応するための小形化が図られ、高付加価値化も図られている。前記高付加価値化としては、ＣＤおよびＤＶＤの両メディアに対応するために２つの受発光素子を設ける、つまり２レーザー化するなどの技術が公知である。これら光学ピックアップ装置の小形化および高付加価値化によって、薄く小さい光学ピックアップ装置のパッケージに発熱部品が集中することになる。
【０００７】
その結果、半導体レーザおよび駆動用集積回路などから発生する熱を十分に放熱することができない。これは、光学ピックアップ装置としての動作を不安定化する要因になっている。また、再生および記録時の高速化に伴って半導体レーザを高出力化しなければならない。これによって、光学ピックアップ装置の発熱量自体も益々増加する傾向にあり、上述した課題をより大きなものにしている。
【０００８】
特許文献１に記載のものでは、放熱用凹凸部によって、半導体レーザの収納部分近傍の外面部の表面積が、単に増大され、この部分の外気中に対する放熱効率が向上する技術が開示されているだけである。
【０００９】
したがって本発明の目的は、小形化を図るとともに、放熱効果を高めることができる光学ピックアップ装置を提供することである。
【００１０】
【課題を解決するための手段】
本発明は、記録媒体に対する情報の記録または再生または消去を実行可能な光学ピックアップ装置において、
回転される記録媒体に照射するための光を発する光源と、
記録媒体に臨む少なくとも一表面部に凹凸状に形成される放熱部を有するハウジングと、
を有することを特徴とする光学ピックアップ装置である。
【００１１】
本発明に従えば、光源から発せられた光は、回転する記録媒体に照射される。その後、光信号は電気信号に変換され、たとえば情報の再生、記録、消去などが実行されるか、またはサーボ信号として利用される。ハウジングは、記録媒体に臨む少なくとも一表面部に凹凸状に形成される放熱部を有するので、記録媒体に対して前記一表面部の表面積を大きくすることができるうえ、特に光源からの熱を、回転する記録媒体と凹凸状に形成される放熱部とで協働して装置外部に放出することができる。
【００１２】
したがって光学ピックアップ装置に熱が滞留することを防止することができる。つまり、光学ピックアップ装置に熱応力が作用することを極力防止することができるので、光学ピックアップ装置としての動作を安定化することが可能となる。しかもハウジングの放熱部を凹凸状に形成するだけの簡単な構造で、放熱効果を高めることができるので、放熱効果を高めるための大掛かりな装置を追加することなく、ピックアップ動作を安定化させることができる光学ピックアップ装置を実現することができる。したがって、小形化を図るとともに、放熱効果を高めることができる光学ピックアップ装置を実現することができる。
【００１３】
また本発明は、記録媒体に対する情報の記録または再生または消去を実行可能な光学ピックアップ装置において、
回転される記録媒体に照射するための光を発する光源と、
光源が支持されるハウジングと、
光源からの熱が伝熱自在に設けられ、少なくとも記録媒体に臨む一表面部に凹凸状に形成される放熱部を有する放熱板と、
を有することを特徴とする光学ピックアップ装置である。
【００１４】
本発明に従えば、光源から発せられた光は、回転する記録媒体に照射される。その後、光信号は電気信号に変換され、たとえば情報の再生、記録、消去などが実行されるか、またはサーボ信号として利用される。放熱板は、光源からの熱が伝熱自在に設けられ、かつ記録媒体に臨む少なくとも一表面部に凹凸状に形成される放熱部を有するので、記録媒体に対して前記一表面部の表面積を大きくすることができるうえ、特に光源からの熱を、回転する記録媒体と凹凸状に形成される放熱部とで協働して装置外部に放出することができる。
【００１５】
したがって光学ピックアップ装置に熱が滞留することを防止することができる。つまり、光学ピックアップ装置に熱応力が作用することを極力防止することができるので、光学ピックアップ装置としての動作を安定化することが可能となる。しかも放熱板の放熱部を凹凸状に形成するだけの簡単な構造で、放熱効果を高めることができるので、放熱効果を高めるための大掛かりな装置を追加することなく、ピックアップ動作を安定化させることができる光学ピックアップ装置を実現することができる。したがって、小形化を図るとともに放熱効果を高めることができる光学ピックアップ装置を実現することができる。
【００１６】
また本発明は、回転される記録媒体に照射するための光を発する光源と、
光源と記録媒体との間の光軸上に配置される光学部品と、
光源および光学部品が支持されるハウジングと、
ハウジングに支持され、かつ光学部品の位置が駆動制御されるアクチュエータと、
アクチュエータを覆うカバー部材であって、光源からの熱が伝熱自在に設けられ、少なくとも記録媒体に臨む一表面部に凹凸状に形成される放熱部を有するカバー部材と、
を有することを特徴とする光学ピックアップ装置である。
【００１７】
本発明に従えば、光源から発せられた光は、回転する記録媒体に照射される。その後、光信号は電気信号に変換され、たとえば情報の再生、記録、消去などが実行されるか、またはサーボ信号として利用される。アクチュエータを覆うカバー部材は、光源からの熱が伝熱自在に設けられ、かつ記録媒体に臨む少なくとも一表面部に凹凸状に形成される放熱部を有するので、記録媒体に対して前記一表面部の表面積を大きくすることができるうえ、特に光源からの熱を、回転する記録媒体と凹凸状に形成される放熱部とで協働して装置外部に放出することができる。
【００１８】
したがって光学ピックアップ装置に熱が滞留することを防止することができる。つまり、光学ピックアップ装置に熱応力が作用することを極力防止することができるので、光学ピックアップ装置としての動作を安定化することが可能となる。しかもカバー部材の放熱部を凹凸状に形成するだけの簡単な構造で、放熱効果を高めることができるので、放熱効果を高めるための大掛かりな装置を追加することなく、ピックアップ動作を安定化させることができる光学ピックアップ装置を実現することができる。したがって、小形化を図るとともに放熱効果を高めることができる光学ピックアップ装置を実現することができる。
【００１９】
また本発明は、放熱部は、記録媒体の回転によって生じる雰囲気ガスの流れの方向に沿って延びる凹溝が形成されることを特徴とする。
【００２０】
本発明に従えば、放熱部は、記録媒体の回転によって生じる雰囲気ガスの流れの方向に沿って延びる凹溝が形成されるので、前記雰囲気ガスは凹溝に沿ってスムースに流れて装置外部に放出される。換言すれば、放熱部において、雰囲気ガスはその流れが遮られることが皆無となるので、熱を装置外部にスムースにかつ確実に放出することができる。
【００２１】
また本発明は、放熱部は、ハウジングに一体に成形されることを特徴とする。本発明に従えば、放熱部はハウジングに一体に成形されるので、部品点数を少なくして、光学ピックアップ装置の構造を簡単化することができる。したがって、光学ピックアップ装置の製作コストの低減を図ることが可能となる。
【００２２】
また本発明は、ハウジングは、光源を駆動制御するための集積回路に伝熱自在に設けられることを特徴とする。
【００２３】
本発明に従えば、ハウジングは、光源を駆動制御するための集積回路に伝熱自在に設けられるので、集積回路からの熱をもハウジングの放熱部を介して装置外部に放出することができる。したがって、光学ピックアップ装置の動作を一層安定化することが可能となる。
【００２４】
また本発明は、放熱部は、集積回路および光源を覆うように形成されることを特徴とする。
【００２５】
本発明に従えば、放熱部は、集積回路および光源を覆うように形成されるので、集積回路、光源にそれぞれ応じた複数の放熱部を設ける必要がなくなる。つまり１つの放熱部でもって、集積回路からの熱と光源からの熱とを放出することが可能となり、放熱部の構成を簡単化することができる。したがって光学ピックアップ装置の製作コストを一層低減することが可能となる。
【００２６】
また本発明は、放熱部のうちの少なくとも一部分は、不均一な凹凸状に形成されることを特徴とする。
【００２７】
本発明に従えば、放熱部の凹凸を可能な範囲で大きくすることが可能となる。したがって、記録媒体に対する一表面部の表面積をさらに大きくしたうえで、放熱部の前記一部分を通過する雰囲気ガスの流量を、多くすることによって、放熱効果を格段に高めることができる。
【００２８】
また本発明は、放熱部は、熱伝導率の高い材料から成ることをことを特徴とする。
【００２９】
本発明に従えば、光源などの熱源から放熱部に伝達される熱量を大きくすることができる。この放熱部から熱を放出することができるので、光学ピックアップ装置の放熱効果を高めることができる。
【００３０】
また本発明は、カバー部材は、ハウジングに一体に成形されることを特徴とする。
【００３１】
本発明に従えば、カバー部材はハウジングに一体に成形されるので、部品点数を少なくして、光学ピックアップ装置の構造を簡単化することができる。したがって、光学ピックアップ装置の製作コストの低減を図ることが可能となる。
【００３２】
また本発明は、前記放熱板は、少なくとも光源に電気的に接続されるフレキシブル基板がハウジングから離反する方向へ変位することを阻止するように構成されることを特徴とする。
【００３３】
本発明に従えば、放熱板によって、少なくとも光源に電気的に接続されるフレキシブル基板がハウジングから離反する方向へ変位することを阻止することができる。
【００３４】
また本発明は、前記カバー部材は、少なくとも光源に電気的に接続されるフレキシブル基板がハウジングから離反する方向へ変位することを阻止するように構成されることを特徴とする。
【００３５】
本発明に従えば、カバー部材によって、少なくとも光源に電気的に接続されるフレキシブル基板がハウジングから離反する方向へ変位することを阻止することができる。
【００３６】
また本発明は、放熱部の凹凸状は、突起状または三角波形状に形成されることを特徴とする。
【００３７】
本発明に従えば、突起状または三角波形状によって放熱部の凹凸状を実現することができる。
【００３８】
【発明の実施の形態】
図１は、本発明の第１の実施形態に係る光学ピックアップ装置１０を、放熱板１１の厚み方向に見て概略的に示す平面図である。図２は、図１をＡ−Ａ線で切断して見た断面図である。図３は、図１のＢ−Ｂ線端面図である。本実施の形態の光学ピックアップ装置１０は、たとえばノート形パソコンなどに内蔵される。光学ピックアップ装置１０は、主に、ハウジング１２と、光源１３と、光学部品と、アクチュエータ１４と、集積回路１５と、フレキシブル基板１６とで構成されている。光源１３は、コンパクトディスク（略称ＣＤ：Ｃｏｍｐａｃｔ  Ｄｉｓｋ）用受発光一体形素子１７と、デジタルバーサタイルディスク（略称ＤＶＤ：Ｄｉｇｉｔａｌ
Ｖｅｒｓａｔｉｌｅ  Ｄｉｓｋ）用受発光一体形素子１８とを有する。
【００３９】
これらＣＤ用受発光一体形素子１７およびＤＶＤ用受発光一体形素子１８と、集積回路１５とは、フレキシブル基板１６に実装されている。換言すれば、フレキシブル基板１６は、光源１３であるＣＤ用受発光一体形素子１７およびＤＶＤ用受発光一体形素子１８と、光源１３を駆動制御するための前記集積回路１５（別称駆動用ＩＣ：Ｉｎｔｅｇｒａｔｅｄ  Ｃｉｒｃｕｉｔ）とに電気的に接続されている。このフレキシブル基板１６は、放熱板としての押さえばね１１によってハウジング１２に部分的に固定されている。以下、ＣＤ用受発光一体形素子１７を単に受発光素子１７、ＤＶＤ用受発光一体形素子１８を単に受発光素子１８と呼ぶ場合がある。また、フレキシブル基板１６をＦＰＣ１６、押さえばね１１をＦＰＣ押さえばね１１と呼ぶ場合もある。
【００４０】
受発光素子１７は、ハウジング１２に、後述する押さえばね１１の第１フランジ部１１ａを介して一対のビス１９でもって固定されている。すなわちハウジング１２の一側壁部には、受発光素子１７のステム１７ａが係合可能な被係合部が形成されている。このハウジング１２の被係合部に、受発光素子１７のステム１７ａが係合された状態で、前記受発光素子１７は一対のビス１９によってハウジング１２および押さえばね１１に着脱自在に構成されている。この受発光素子１７がハウジング１２に固定された状態において、受発光素子１７は、ハウジング１２の一側壁部に垂直な方向に、光を出射可能に構成されている。
【００４１】
受発光素子１８は、ハウジング１２に、後述する押さえばね１１の第２フランジ部１１ｂを介して一対のビス２０でもって固定されている。すなわちハウジング１２において、一側壁部に略直角に隣接する他側壁部には、受発光素子１８のステム１８ａが係合可能な被係合部が形成されている。このハウジング１２の被係合部に、受発光素子１８のステム１８ａが係合された状態で、前記受発光素子１８は一対のビス２０によってハウジング１２および押さえばね１１に着脱自在に構成されている。この受発光素子１８がハウジング１２に固定された状態において、受発光素子１８は、ハウジング１２の他側壁部に垂直な方向に、光を出射可能に構成されている。本実施形態において、用語「略直角」は直角を含む。ハウジング１２の他側壁部に垂直な方向すなわち受発光素子１８の出射光の光軸方向をＸ方向と定義する。ハウジング１２の一側壁部に垂直な方向すなわち受発光素子１７の出射光の光軸方向をＹ方向と定義する。これらＸ方向およびＹ方向に直交する方向をＺ方向と定義する。
【００４２】
ハウジング１２には、光学部品およびアクチュエータ１４が搭載されている。光学部品は、光分離用光学素子２１と、コリメートレンズ２２と、立上げミラー２３と、対物レンズ２４とを備え、これら光学部品は受発光素子１７，１８と記録媒体２５との間の光軸上に配置されている。すなわち受発光素子１７のＹ方向一方に、光分離用光学素子２１、コリメートレンズ２２、立上げミラー２３が順次配置されて設けられ、立上げミラー２３のＺ方向一方に、対物レンズ２４が配置されて設けられている。対物レンズ２４は、アクチュエータ１４によって駆動制御されるように構成され、対物レンズ２４の位置が調整されるようになっている。またアクチュエータ１４および対物レンズ２４付近部におけるハウジング１２のＺ方向一端部には、前記アクチュエータ１４の大部分を覆うカバー部材２６が設けられている。
【００４３】
図４は、ＦＰＣ押さえばね１１をその厚み方向一方に見て概略的に示す平面図である。図５は、図４のＣ−Ｃ線端面図である。図６は、図４のＤ−Ｄ線端面図である。ＦＰＣ押さえばね１１は、ＦＰＣ１６の変位を阻止する第１の機能と、受発光素子１７，１８および集積回路１５からの熱を、回転される記録媒体２５を用いて放熱する第２の機能とを有する。すなわちＦＰＣ押さえばね１１は、第１の機能として、フレキシブル基板１６がハウジング１２から離反するＺ方向一方へ変位することを阻止するように構成されている。
【００４４】
ＦＰＣ押さえばね１１は熱伝導率の高い材料（たとえば、ステンレス鋼板）から成る。このＦＰＣ押さえばね１１は、受発光素子１７，１８と、光分離用光学素子２１と、コリメートレンズ２２とを覆うように形成されている。このＦＰＣ押さえばね１１は、その大部分が、ＦＰＣ１６の長手方向の一端部を介してハウジング１２のＺ方向一端部に配置されている。以下、ＦＰＣ押さえばね１１の大部分をばね本体１１Ａという。受発光素子１７に近接する一側縁部であって、ばね本体１１Ａの一側縁部には、Ｚ方向他方へ所定小距離屈曲する第１フランジ部１１ａが形成されている。受発光素子１７のステム１７ａは、この第１フランジ部１１ａに当接された構造になっている。これによって、ＦＰＣ押さえばね１１は、受発光素子１７からの熱が伝熱自在になっている。
【００４５】
受発光素子１８に近接する他側縁部であって、ばね本体１１Ａの他側縁部には、Ｚ方向他方へ所定小距離屈曲する第２フランジ部１１ｂが形成されている。受発光素子１８のステム１８ａは、この第２フランジ部１１ｂに当接された構造になっている。これによって、ＦＰＣ押さえばね１１は、受発光素子１８からの熱が伝熱自在になっている。集積回路１５に臨むばね本体１１Ａの一表面部には、平面板２７が付設されている。すなわち、ばね本体１１Ａの前記一表面部において、集積回路１５に対応する部分には、ばね本体１１Ａと集積回路１５との接触面積を増やすための平面板２７が付設されている。逆に言えば、ばね本体１１Ａのうち集積回路１５に対応する部分に、平面板２７が付設されているので、ＦＰＣ押さえばね１１は、集積回路１５からの熱が伝熱自在になっている。
【００４６】
図７は、記録媒体２５の回転によって生じる雰囲気ガスの流れの方向（矢符Ｋ１にて示す）と、放熱部２８の凹溝２８ａとの関係を示す図である。図８は、放熱部２８の凹溝２８ａの方向を詳細に示す図である。ばね本体１１Ａのうち、記録媒体２５であるＣＤまたはＤＶＤに臨む一表面部の全体には、凹凸状（より詳細には波形形状）に形成される放熱部２８が形成されている。この放熱部の凹凸状は、突起状または三角波形状に形成される。逆に言えば、突起状または三角波形状によって放熱部の凹凸状を実現することができる。なお、ばね本体１１Ａの前記一表面部の背面側の一表面部も凹凸状に形成されている。放熱部２８は、記録媒体２５の回転によって生じる空気の流れの方向に沿って延びる凹溝２８ａが形成される。前記空気が雰囲気ガスに相当する。
【００４７】
記録媒体２５は、図示外のディスクドライブ装置に回転駆動可能に保持される。記録媒体２５が、ディスクドライブ装置に保持された状態で回転駆動されることで、前記ディスクドライブ装置の回転中心部２９から半径方向外方に向かって略放射状に、かつ、半径方向外方に向かうに従って回転方向にやや湾曲するように、空気の流れが生じる。前記回転方向は、図７および図８において矢符Ｒ１で示される。
【００４８】
放熱部２８の各凹溝２８ａは、アクチュエータ可動方向つまりＸ方向から、前記回転方向に角度α（αは、たとえば約３０度）傾斜させた方向に平行な方向に沿って直線状に延びるように形成されている。しかも各凹溝２８ａは、一定間隔おきに形成されるとともに均一形状に形成されている。放熱部２８の各凹溝２８ａの前記約３０度傾斜させた方向は、記録媒体２５の回転によって生じる空気の流れを妨げない方向である。すなわち記録媒体２５の回転によって、ディスクドライブ装置の回転中心部２９から半径方向外方に向かって略放射状に、かつ、半径方向外方に向かうに従って回転方向にやや湾曲するように空気の流れが生じ、この空気の流れは、放熱部２８の凹溝２８ａに沿ってその一端側から他端側に進む。これによって熱を光学ピックアップ装置１０の外部へ逃がすようになっている。
【００４９】
ところでこの光学ピックアップ装置１０が、ディスクドライブ装置の回転中心部２９に最接近した図７の状態においては、全ての凹溝２８ａのうちＹ方向一方側かつＸ方向一方側に配置される凹溝２８ａほど、その凹溝２８ａの延び方向が、記録媒体２５の回転によって生じる空気の流れ方向と略平行になる。すなわちＸおよびＹ方向一方側に配置される凹溝２８ａに沿って流れる空気ほどスムースに流れやすくなる。また光学ピックアップ装置１０が、回転中心部２９から離反した図示外の状態においては、たとえば受発光素子１７付近に形成される凹溝２８ａほど、その凹溝２８ａの延び方向が、記録媒体２５の回転によって生じる空気の流れ方向と略平行になる。したがって、光学ピックアップ装置１０の位置に関係なく、記録媒体２５の回転による空気の流れは、受発光素子１７，１８付近に配置される凹溝２８ａに沿ってスムースに進む。これによって、特に受発光素子１７，１８からの熱を光学ピックアップ装置１０の外部へ優先的に逃がすことができる。
【００５０】
本実施形態において、放熱部２８の各凹溝２８ａは、Ｘ方向から回転方向に約３０度傾斜させた方向に平行な方向に沿って直線状に延びるように形成されているが、各凹溝２８ａの方向は、図８に示すように後述する所定の法線Ｌ１に関して、それぞれ矢符Ｒ１にて示す前記回転方向にプラスβの角度範囲から、マイナスβの角度範囲以内に入る方向と平行に配置されていればよい。角度βは、たとえば約６０度である。前記所定の法線Ｌ１とは、記録媒体２５と同一軸線の仮想円Ｒｋと、ある任意の凹溝２８ａの方向を含む仮想直線Ｌｋとの交点Ｐｋを通る法線Ｌ１であって、仮想円Ｒｋにおける前記交点Ｐｋを通る接線Ｌｓの法線Ｌ１と同義である。
【００５１】
以上説明した第１の実施形態の光学ピックアップ装置１０によれば、受発光素子１７または受発光素子１８から発せられた光は、回転するＣＤまたはＤＶＤに照射される。その後、光信号は電気信号に変換され、たとえば情報の再生、記録、消去などが実行されるか、またはサーボ信号として利用される。ＦＰＣ押さえばね１１は、受発光素子１７，１８および集積回路１５からの熱が伝熱自在に設けられ、ＣＤまたはＤＶＤに臨む一表面部に凹凸状に形成される放熱部２８を有するので、記録媒体２５に対して前記一表面部の表面積を大きくすることができるうえ、特に光源１３からの熱を、回転する記録媒体２５と凹凸状に形成される放熱部２８とで協働して装置１０外部に放出することができる。
【００５２】
したがって光学ピックアップ装置１０に熱が滞留することを防止することができる。つまり、光学ピックアップ装置１０に熱応力が作用することを極力防止することができるので、光学ピックアップ装置１０としての動作を安定化することが可能となる。しかもＦＰＣ押さえばね１１の放熱部２８を凹凸状に形成するだけの簡単な構造で、放熱効果を高めることができるので、放熱効果を高めるための大掛かりな装置を追加することなく、ピックアップ動作を安定化させることができる光学ピックアップ装置を実現することができる。したがって、小形化を図るとともに放熱効果を高めることができる光学ピックアップ装置を実現することができる。
【００５３】
ＦＰＣ押さえばね１１の放熱部２８は、記録媒体２５の回転によって生じる空気の流れの方向に略沿って延びる凹溝２８ａが形成されるので、前記空気は凹溝２８ａに沿ってスムースに流れて装置１０外部に放出される。換言すれば、放熱部２８において、空気はその流れが遮られることが皆無となるので、熱を装置１０外部にスムースにかつ確実に放出することができる。放熱部２８は、少なくとも集積回路１５および受発光素子１７，１８を覆うように形成されるので、集積回路１５、受発光素子１７，１８にそれぞれ応じた複数の放熱部２８を設ける必要がなくなる。つまり１つの放熱部２８でもって、集積回路１５からの熱と受発光素子１７，１８からの熱とを放出することが可能となり、放熱部２８の構成を簡単化することができる。したがって光学ピックアップ装置１０の製作コストを低減することが可能となる。
【００５４】
放熱部２８は、熱伝導率の高い材料から成るので、集積回路１５および受発光素子１７，１８から放熱部２８に伝達される熱量を大きくすることができる。この放熱部２８から熱を放出することができるので、光学ピックアップ装置１０の放熱効果を高めることができる。またＦＰＣ押さえばね１１によって、フレキシブル基板１６がハウジング１２から離反するＺ方向一方へ変位することを阻止することができる。
【００５５】
図９は、本発明の第２の実施形態に係る光学ピックアップ装置１０Ａを、対物レンズ２４の光軸方向に見て概略的に示す平面図である。図１０は、図９をＥ−Ｅ線で切断して見た断面図である。図１１は、図９のＦ−Ｆ線端面図である。図１２は、ハウジング３０を、対物レンズ２４の光軸方向を含む仮想平面で切断して見た要部の断面図である。図１３は、ハウジング３０およびカバー部材２６を、対物レンズ２４の光軸方向を含む仮想平面で切断して見たハウジング３０とカバー部材２６との関係を示す断面図である。ただし前記実施形態と同一の部材には同一の符号を付し、その詳細な説明は省略する。
【００５６】
光学ピックアップ装置１０Ａは、主に、ハウジング３０と、光源１３と、光学部品と、アクチュエータ１４と、集積回路１５と、フレキシブル基板１６とで構成されている。受発光素子１７，１８と集積回路１５とは、フレキシブル基板１６に実装されている。ＦＰＣ押さえばね３１は、フレキシブル基板１６がハウジング３０および記録媒体２５から離反するＺ方向他方へ変位することを阻止するように構成されている。すなわちこの第２の実施形態においては、フレキシブル基板１６の長手方向の一端部は、記録媒体２５に臨むハウジング３０の一端部の背面側の他端部に配置されている。ＦＰＣ押さえばね３１は、受発光素子１７，１８と、光分離用光学素子２１と、コリメートレンズ２２とを覆うように形成されている。このＦＰＣ押さえばね３１の大部分つまりばね本体は、フレキシブル基板１６の前記一端部を介してハウジング３０のＺ方向他端部に配置されている。
【００５７】
ハウジング３０の被係合部に、受発光素子１７のステム１７ａが係合された状態で、前記受発光素子１７は一対のビス１９によってハウジング３０および押さえばね３１の第１フランジ部に着脱自在に構成されている。またハウジング３０の被係合部に、受発光素子１８のステム１８ａが係合された状態で、前記受発光素子１８は一対のビス２０によってハウジング３０および押さえばね３１の第２フランジ部に着脱自在に構成されている。押さえばね３１およびビス１９，２０は、熱伝導率の高い材料から成る。なお受発光素子１７，１８のハウジング３０への固定手段は、必ずしもビスに限定されるものではない。
【００５８】
受発光素子１７，１８からの熱は、押さえばね３１のそれぞれ第１，第２フランジ部およびビス１９，２０を介して、ハウジング３０に伝熱自在に構成されている。図１２に示すように、集積回路１５に臨むハウジング３０の一表面部において、集積回路１５に対応する部分には、Ｚ方向他方にやや突出して集積回路１５の表面部１５ａに略密着する直方体状の突出部３２が形成されている。集積回路１５からの熱は、この突出部３２によってハウジング３０に伝熱自在になっている。本実施形態において、用語「略密着する」状態は、密着する状態を含む。
【００５９】
ハウジング３０は、記録媒体２５に臨む一表面部に、凹凸状に形成される放熱部３３を有する。この放熱部３３はハウジング３０に一体に成形される。この放熱部３３は、記録媒体２５の回転によって生じる空気の流れの方向に沿って延びる凹溝３３ａが形成される。ハウジング３０の一表面部には、集積回路１５に対応する部分に突出部３２が形成されているので、ハウジング３０は、集積回路１５に対応する部分および集積回路１５の周辺部の剛性が高くなる。したがって、ハウジング３０において、前記周辺部を薄肉化することができ、その分、図９、図１１、図１２に示すように、集積回路１５に対応する部分および集積回路１５の周辺部の凹溝３３ａの深さを大きくすることができる。これによって前記凹溝３３ａを通過する空気の流量を多くすることができ、したがって放熱部３３の放熱効果を高めることができる。
【００６０】
ディスクドライブ装置のディスクトレー３４（図７参照）においては、光学ピックアップ装置１０Ａの可動範囲に沿って開口されている。図９および図１３に示すように、ハウジング３０の放熱部３３のうち、前記開口された部分に対応しかつカバー部材２６の一側縁部２６ａに近接する凹溝３３ａを、Ｚ方向一方に突出させることができる。これによって前記凹溝３３ａを通過する空気の流量を多くすることができ、したがって放熱部３３の放熱効果を格段に高めることができる。
【００６１】
以上説明した第２の実施形態の光学ピックアップ装置１０Ａによれば、ハウジング３０は、記録媒体２５に臨む一表面部に凹凸状に形成される放熱部３３を有するので、記録媒体２５に対して前記一表面部の表面積を大きくすることができるうえ、光源１３および集積回路１５からの熱を、回転する記録媒体２５とハウジング３０の放熱部３３とで協働して装置１０Ａ外部に放出することができる。したがって、光学ピックアップ装置１０Ａに熱が滞留することを防止することができる。放熱部３３はハウジング３０に一体に成形されるので、部品点数を少なくして、光学ピックアップ装置１０Ａの構造を簡単化することができる。したがって、光学ピックアップ装置１０Ａの製作コストの低減を図ることができる。
【００６２】
放熱部３３において、集積回路１５に対応する部分および集積回路１５の周辺部の凹溝３３ａの深さを大きくすることができる。また前記開口された部分に対応しかつカバー部材２６の一側縁部２６ａに近接する凹溝３３ａを、Ｚ方向一方に突出させることができる。このように放熱部３３のうちの少なくとも一部分は、不均一な凹凸状に形成され、放熱部３３の凹凸を可能な範囲で大きくすることが可能となる。したがって、記録媒体２５に対する一表面部の表面積をさらに大きくしたうえで、放熱部３３を通過する空気の流量を多くすることによって、放熱効果を格段に高めることができる。その他この光学ピックアップ装置１０Ａは、第１の実施形態と同様の効果を奏する。
【００６３】
図１４は、本発明の第３の実施形態に係る光学ピックアップ装置１０Ｂを、対物レンズ２４の光軸方向に見て概略的に示す平面図である。図１５は、図１４をＧ−Ｇ線で切断して見た断面図である。図１６は、図１４のＨ−Ｈ線端面図である。図１７は、ハウジング３５およびカバー部材３６を、対物レンズ２４の光軸方向を含む仮想平面で切断して、特に不均一な凹凸状に形成される放熱部３７を示す断面図である。
【００６４】
光学ピックアップ装置１０Ｂは、主に、ハウジング３５と、光源１３と、光学部品と、アクチュエータ１４と、カバー部材３６と、集積回路１５と、フレキシブル基板１６とで構成されている。受発光素子１７，１８と集積回路１５とは、フレキシブル基板１６に実装されている。ハウジング３５のＺ方向一端部には、カバー部材３６がこのハウジング３５に一体に成形されている。カバー部材３６は、集積回路１５および受発光素子１７，１８と、光分離用光学素子２１と、コリメートレンズ２２と、アクチュエータ１４とを覆うように配置されている。カバー部材３６は、第１および第２フランジ部を介してそれぞれ受発光素子１７，１８からの熱を伝熱自在に設けられている。またカバー部材３６は、集積回路１５に伝熱自在に構成されている。またカバー部材３６は、フレキシブル基板１６がハウジング３５から離反する方向へ変位することを阻止するように構成されている。つまりカバー部材３６は、ＦＰＣ押さえばねとしての機能をも備えている。
【００６５】
またディスクドライブ装置のディスクトレーにおいては、光学ピックアップ装置１０Ｂの可動範囲に沿って開口されている。それ故、記録媒体２５の回転によって発生する空気は、前記開口された部分を介してカバー部材３６に対し多く流れる。換言すれば、前記開口された部分によって、カバー部材３６に対する空気の流量は多くなる。したがってアクチュエータ１４およびその周辺部分は放熱効果が高くなる。
【００６６】
さらに図１７に示すように、ハウジング３５において、アクチュエータ１４付近部でかつＸ方向一端側壁部３５ａの高さ、つまり厚みを低く抑えている。これによって、ハウジング３５のうち厚みを低く抑えた部分に関しては、記録媒体２５とハウジング３５のＺ方向一端部との隙間を、その他の部分よりも広くすることができる。それ故、ハウジング３５の厚みを低く抑えた部分に対向するカバー部材３６の放熱部３７の凹溝３７ａの深さを大きくすることができる。したがって、前記凹溝３７ａを通過する空気の流量を多くすることができ、放熱部３７の放熱効果を格段に高めることができる。
【００６７】
以上説明した第３の実施形態の光学ピックアップ装置１０Ｂによれば、カバー部材３６は、光源１３および集積回路１５からの熱が伝熱自在に設けられ、かつ記録媒体２５に臨む一表面部に凹凸状に形成される放熱部３７を有するので、記録媒体２５に対して前記一表面部の表面積を大きくすることができるうえ、熱を、回転する記録媒体２５と凹凸状に形成される放熱部３７とで協働して装置１０Ｂ外部に放出することができる。その他この光学ピックアップ装置１０Ｂは、第１および第２の実施形態と同様の効果を奏する。
【００６８】
図１８は、本発明の実施形態の光学ピックアップ装置を部分的に変更した変更形態の図である。本実施形態において、放熱部の各凹溝は、Ｘ方向に関して、記録媒体２５の回転方向に約３０度傾斜させた方向に沿って直線状に延びるように形成されているが、この傾斜角度は、空気の流れを妨げない範囲で変更可能である。また放熱部の凹溝は、必ずしも前記直線状に延びるように形成する必要はない。
【００６９】
たとえば図１８（ａ）に示すように、凹溝３８を、たとえばディスクドライブ装置の回転中心部２９から半径方向外方に向かって放射状に形成してもよい。また図１８（ｂ）に示すように、凹溝３９を、たとえば前記回転中心部２９から半径方向外方に向かうに従って略放射状に、かつ、半径方向外方に向かうに従って回転方向Ｒ１にやや湾曲するように形成してもよい。このような凹溝３８，３９を形成した場合には、凹溝３８，３９は、記録媒体によって発生する空気に流れに忠実に沿って延びるようになっているので、熱を光学ピックアップ装置の外部にスムースにかつ確実に放出し易くなる。
【００７０】
図１８（ｃ）に示すように、放熱部４０は、記録媒体に臨む一表面部４０ａだけに凹凸状に形成されてもよい。この場合、第１の実施形態においては、たとえば平面板をばね本体に付設することなく、ばね本体と集積回路との接触面積を増やすことが可能となる。換言すれば、前記接触面積を増やすための平面板が不要となるので、部品点数を削減して光学ピックアップ装置の製作コストを低減することが可能となる。図１８（ｄ）に図に示すように、ＦＰＣ押さえばね４１の一表面部に複数の突出部４２を設けて、これら突出部４２によって凹凸状の放熱部を形成してもよい。この場合には、既存のＦＰＣ押さえばねを用いて放熱部を形成することが可能となる。
【００７１】
熱伝導率の高い材料から成るハウジングを適用する場合もあり得る。雰囲気ガスは、必ずしも空気に限定されるものではなく、種々なガスを適用可能である。第３の実施形態においては、カバー部材３６はハウジング３５に一体に成形されているが、カバー部材はハウジングに別体に成形されていてもよい。たとえば熱伝導率が高い材料から成り、記録媒体に臨む一表面部に放熱部を有するカバー部材が、ハウジングに接触して接続されていればよい。その接続手段は、熱を流すのに十分な接触面積が確保できれば、填め込み、接着、ねじ止め、はんだ付けなどどのような手段でもかまわない。その他、前記実施形態に、特許請求の範囲を逸脱しない範囲において種々の部分的変更を行う場合もある。
【００７２】
【発明の効果】
以上のように本発明によれば、ハウジングは、記録媒体に臨む少なくとも一表面部が凹凸状に形成される放熱部を有するので、記録媒体に対して前記一表面部の表面積を大きくすることができるうえ、特に光源からの熱を、回転する記録媒体と凹凸状に形成される放熱部とで協働して装置外部に放出することができる。したがって光学ピックアップ装置に熱が滞留することを防止することができる。つまり、光学ピックアップ装置に熱応力が作用することを極力防止することができるので、光学ピックアップ装置としての動作を安定化することが可能となる。
【００７３】
しかもハウジングの放熱部を凹凸状に形成するだけの簡単な構造で、放熱効果を高めることができるので、放熱効果を高めるための大掛かりな装置を追加することなく、ピックアップ動作を安定化させることができる光学ピックアップ装置を実現することができる。したがって、小形化を図るとともに、放熱効果を高めることができる光学ピックアップ装置を実現することができる。
【００７４】
また本発明によれば、放熱板は、光源からの熱が伝熱自在に設けられ、かつ記録媒体に臨む少なくとも一表面部に凹凸状に形成される放熱部を有するので、記録媒体に対して前記一表面部の表面積を大きくすることができるうえ、特に光源からの熱を、回転する記録媒体と凹凸状に形成される放熱部とで協働して装置外部に放出することができる。
【００７５】
したがって光学ピックアップ装置に熱が滞留することを防止することができる。つまり、光学ピックアップ装置に熱応力が作用することを極力防止することができるので、光学ピックアップ装置としての動作を安定化することが可能となる。しかも放熱板の放熱部を凹凸状に形成するだけの簡単な構造で、放熱効果を高めることができるので、放熱効果を高めるための大掛かりな装置を追加することなく、ピックアップ動作を安定化させることができる光学ピックアップ装置を実現することができる。したがって、小形化を図るとともに放熱効果を高めることができる光学ピックアップ装置を実現することができる。
【００７６】
また本発明によれば、アクチュエータを覆うカバー部材は、光源からの熱が伝熱自在に設けられ、かつ記録媒体に臨む少なくとも一表面部に凹凸状に形成される放熱部を有するので、記録媒体に対して前記一表面部の表面積を大きくすることができるうえ、特に光源からの熱を、回転する記録媒体と凹凸状に形成される放熱部とで協働して装置外部に放出することができる。
【００７７】
したがって光学ピックアップ装置に熱が滞留することを防止することができる。つまり、光学ピックアップ装置に熱応力が作用することを極力防止することができるので、光学ピックアップ装置としての動作を安定化することが可能となる。しかもカバー部材の放熱部を凹凸状に形成するだけの簡単な構造で、放熱効果を高めることができるので、放熱効果を高めるための大掛かりな装置を追加することなく、ピックアップ動作を安定化させることができる光学ピックアップ装置を実現することができる。したがって、小形化を図るとともに放熱効果を高めることができる光学ピックアップ装置を実現することができる。
【００７８】
また本発明によれば、放熱部は、記録媒体の回転によって生じる雰囲気ガスの流れの方向に沿って延びる凹溝が形成されるので、前記雰囲気ガスは凹溝に沿ってスムースに流れて装置外部に放出される。換言すれば、放熱部において、雰囲気ガスはその流れが遮られることが皆無となるので、熱を装置外部にスムースにかつ確実に放出することができる。
【００７９】
また本発明によれば、放熱部はハウジングに一体に形成されるので、部品点数を少なくして、光学ピックアップ装置の構造を簡単化することができる。したがって、光学ピックアップ装置の製作コストの低減を図ることが可能となる。
【００８０】
また本発明によれば、ハウジングは、光源を駆動制御するための集積回路に伝熱自在に設けられるので、集積回路からの熱をもハウジングの放熱部を介して装置外部に放出することができる。したがって、光学ピックアップ装置の動作を一層安定化することが可能となる。
【００８１】
また本発明によれば、放熱部は、集積回路および光源を覆うように形成されるので、集積回路、光源にそれぞれ応じた複数の放熱部を設ける必要がなくなる。つまり１つの放熱部でもって、集積回路からの熱と光源からの熱とを放出することが可能となり、放熱部の構成を簡単化することができる。したがって光学ピックアップ装置の製作コストを一層低減することが可能となる。
【００８２】
また本発明によれば、放熱部の凹凸を可能な範囲で大きくすることが可能となる。したがって、記録媒体に対する一表面部の表面積をさらに大きくしたうえで、放熱部の前記一部分を通過する雰囲気ガスの流量を、多くすることによって、放熱効果を格段に高めることができる。
【００８３】
また本発明によれば、放熱部は、熱伝導率の高い材料から成るので、光源などの熱源から放熱部に伝達される熱量を大きくすることができる。この放熱部から熱を放出することができるので、光学ピックアップ装置の放熱効果を高めることができる。
【００８４】
また本発明によれば、カバー部材はハウジングに一体に成形されるので、部品点数を少なくして、光学ピックアップ装置の構造を簡単化することができる。したがって、光学ピックアップ装置の製作コストの低減を図ることが可能となる。
【００８５】
また本発明によれば、少なくとも光源に電気的に接続されるフレキシブル基板がハウジングから離反する方向へ変位することを阻止することができる。
【００８６】
また本発明によれば、少なくとも光源に電気的に接続されるフレキシブル基板がハウジングから離反する方向へ変位することを阻止することができる。
【００８７】
また本発明によれば、突起状または三角波形状によって放熱部の凹凸状を実現することができる。
【図面の簡単な説明】
【図１】本発明の第１の実施形態に係る光学ピックアップ装置１０を、放熱板１１の厚み方向に見て概略的に示す平面図である。
【図２】図１をＡ−Ａ線で切断して見た断面図である。
【図３】図１のＢ−Ｂ線端面図である。
【図４】ＦＰＣ押さえばね１１をその厚み方向一方に見て概略的に示す平面図である。
【図５】図４のＣ−Ｃ線端面図である。
【図６】図４のＤ−Ｄ線端面図である。
【図７】記録媒体２５の回転によって生じる雰囲気ガスの流れの方向と、放熱部２８の凹溝２８ａとの関係を示す図である。
【図８】放熱部２８の凹溝２８ａの方向を詳細に示す図である。
【図９】本発明の第２の実施形態に係る光学ピックアップ装置１０Ａを、対物レンズ２４の光軸方向に見て概略的に示す平面図である。
【図１０】図９をＥ−Ｅ線で切断して見た断面図である。
【図１１】図９のＦ−Ｆ線端面図である。
【図１２】ハウジング３０を、対物レンズ２４の光軸方向を含む仮想平面で切断して見た要部の断面図である。
【図１３】ハウジング３０およびカバー部材２６を、対物レンズ２４の光軸方向を含む仮想平面で切断して見たハウジング３０とカバー部材２６との関係を示す断面図である。
【図１４】本発明の第３の実施形態に係る光学ピックアップ装置１０Ｂを、対物レンズ２４の光軸方向に見て概略的に示す平面図である。
【図１５】図１４をＧ−Ｇ線で切断して見た断面図である。
【図１６】図１４のＨ−Ｈ線端面図である。
【図１７】ハウジング３５およびカバー部材３６を、対物レンズ２４の光軸方向を含む仮想平面で切断して、特に不均一な凹凸状に形成される放熱部３７を示す断面図である。
【図１８】本発明の実施形態の光学ピックアップ装置を部分的に変更した変更形態の図である。
【図１９】従来の光学ピックアップ装置１を、対物レンズ２の光軸方向に見て概略的に示す平面図である。
【図２０】従来の光学ピックアップ装置１を、受発光一体形素子３の光軸方向および対物レンズ２の光軸方向を含む仮想平面で切断して見た断面図である。
【図２１】従来の光学ピックアップ装置１を、受発光一体形素子３の光軸方向一方に見て示す端面図である。
【符号の説明】
１０  光学ピックアップ装置
１１  ＦＰＣ押さえばね
１２  ハウジング
１３  光源
１４  アクチュエータ
１５  集積回路
１６  フレキシブル基板
２５  記録媒体
２８  放熱部
２８ａ  凹部
１０Ａ  光学ピックアップ装置
３０  ハウジング
３３  放熱部
３３ａ  凹溝
１０Ｂ  光学ピックアップ装置
３５  ハウジング
３６  カバー部材
３７  放熱部
３７ａ  凹溝
【図１】
2004152408.tif 000003
【図２】
2004152408.tif 000004
【図３】
2004152408.tif 000005
【図４】
2004152408.tif 000006
【図５】
2004152408.tif 000007
【図６】
2004152408.tif 000008
【図７】
2004152408.tif 000009
【図８】
2004152408.tif 000010
【図９】
2004152408.tif 000011
【図１０】
2004152408.tif 000012
【図１１】
2004152408.tif 000013
【図１２】
2004152408.tif 000014
【図１３】
2004152408.tif 000015
【図１４】
2004152408.tif 000016
【図１５】
2004152408.tif 000017
【図１６】
2004152408.tif 000018
【図１７】
2004152408.tif 000019
【図１８】
2004152408.tif 000020
【図１９】
2004152408.tif 000021
【図２０】
2004152408.tif 000022
【図２１】
2004152408.tif 000023